(57)【特許請求の範囲】
【請求項１】
監視画像を所定の撮像間隔で逐次撮像する監視カメラ（１２ａ、１２ｂ）と、情報を保存するための記憶部（１４ａ、１４ｂ）と、情報の送受信を行う通信部（１１ａ、１１ｂ）と、監視制御部（１５ａ、１５ｂ）とを備え、
監視制御部は、
監視カメラで撮像した監視画像及びカメラ位置を前記記憶部に逐次保存する画像保存手段（１５ａ、１５ｂ、Ｓ１）と、
画像保存手段で記憶部に保存した監視画像及びカメラ位置をもとに、設定された監視エリア内に不審者が存在するか否かを判定する不審者判定手段（１５ａ、１５ｂ、Ｓ２１）とを備えている監視装置（１、１ａ、１ｂ）であって、
不審者判定手段で不審者が存在すると判定した場合に、前記監視画像から当該不審者の特徴である不審者特徴を抽出する特徴抽出手段（１５ａ、１５ｂ、Ｓ２５）と、
不審者判定手段で不審者が存在すると判定した場合に、特徴抽出手段で抽出した当該不審者特徴を含む不審者情報要求メッセージを生成する要求生成手段（１５ａ、１５ｂ、Ｓ２７）と、
要求生成手段で生成した不審者情報要求メッセージを前記通信部から送信させる要求送信手段（１５ａ、１５ｂ、Ｓ２８）と、
自装置以外の前記監視装置である他監視装置（１、１ａ、１ｂ）から送信された前記不審者情報要求メッセージを前記通信部で受信した場合に、受信した不審者情報要求メッセージに含まれる不審者特徴に類似する特徴を有する不審者が前記記憶部に保存した監視画像中に含まれているか否かを判定する特徴判定手段（１５ａ、１５ｂ、Ｓ４３）と、
特徴判定手段で前記不審者特徴に類似する特徴を有する不審者が含まれていると判定した場合に、当該不審者が含まれている監視画像を前記記憶部から抽出して、当該監視画像のうちの少なくとも前記不審者が含まれる領域の画像データを含む不審者情報応答メッセージを生成する応答生成手段（１５ａ、１５ｂ、Ｓ４６）と、
応答生成手段で生成した不審者情報応答メッセージを、前記通信部から前記不審者情報要求メッセージの送信元の前記他監視装置へ送信させる応答送信手段（１５ａ、１５ｂ）とを備えていることを特徴とする監視装置。
【請求項２】
請求項１において、
前記画像保存手段は、前記監視カメラで撮像した監視画像を前記記憶部に逐次保存する際に、撮像日時の情報も保存するものであり、
前記要求送信手段は、前記特徴抽出手段で抽出した前記不審者特徴に加え、少なくとも過去に遡った期間を指定する期間指定情報も含む不審者情報要求メッセージを、前記通信部から送信させるものであって、
前記応答生成手段は、前記他監視装置から送信される前記不審者情報要求メッセージを前記通信部で受信した場合に、前記記憶部に保存された撮像日時の情報をもとに、当該不審者情報要求メッセージに含まれる期間指定情報に指定されている期間に撮像された監視画像を選択して、選択した監視画像のうちから前記不審者が含まれている監視画像を抽出し、不審者情報応答メッセージを生成することを特徴とする監視装置。
【請求項３】
請求項１又は２において、
前記要求送信手段は、前記特徴抽出手段で抽出した前記不審者特徴に加え、不審者情報を収集する収集エリアを指定するエリア指定情報も含む不審者情報要求メッセージを、前記通信部から送信させるものであって、
前記応答生成手段は、前記他監視装置から送信される前記不審者情報要求メッセージを前記通信部で受信した場合に、前記記憶部に保存されたカメラ位置の情報をもとに、当該不審者情報要求メッセージに含まれるエリア指定情報に指定されている収集エリア内のカメラ位置で撮像された監視画像を選択して、選択した監視画像のうちから前記不審者が含まれている監視画像を抽出し、不審者情報応答メッセージを生成することを特徴とする監視装置。
【請求項４】
請求項１〜３のいずれか１項において、
前記通信部は、車両に搭載される前記他監視装置との間で無線通信によって情報を送受信することが可能なものであって、
前記要求送信手段は、前記不審者情報要求メッセージを、前記通信部から無線通信によって、自装置の周辺の車両に搭載される前記他監視装置に送信させることを特徴とする監視装置。
【請求項５】
請求項１〜４のいずれか１項において、
車両に搭載される監視装置（１ｂ）であって、
前記通信部は、自車以外の他車に搭載される前記他監視装置（１ｂ）との間で車車間通信によって情報を送受信することが可能であるとともに、建物の敷地内に設置される前記他監視装置（１ａ）との間でも情報を送受信することも可能であることを特徴とする監視装置。
【請求項６】
請求項５において、
前記通信部によって前記車車間通信で単位時間あたりに受信するパケットをもとに、自装置（１ｂ）の周辺に存在する前記他監視装置（１ｂ）を搭載した車両である周辺車両の台数を推定する車両台数推定手段（１５ｂ）と、
車両台数推定手段で推定した前記周辺車両の台数をもとに、前記不審者情報要求メッセージの送信元の前記他監視装置（１ａ、１ｂ）へ自車及び前記周辺車両が前記不審者情報応答メッセージを前記通信部から送信させると仮定した場合の、１台の車両あたりの通信容量の割り当て量を推定する割り当て量推定手段（１５ｂ）とを備え、
前記応答生成手段は、割り当て量推定手段で推定した割り当て量を超えないように、前記不審者が含まれている監視画像のうちの一部の監視画像を抽出し、不審者情報応答メッセージを生成することを特徴とする監視装置。
【請求項７】
請求項６において、
前記不審者の顔画像を含む前記監視画像を判別する判別手段（１５ｂ）を備え、
前記応答生成手段は、前記割り当て量推定手段で推定した前記割り当て量を超えないように、判別手段で判別した前記不審者の顔画像を含む監視画像を優先して、前記不審者が含まれている監視画像のうちの一部の監視画像を抽出し、不審者情報応答メッセージを生成することを特徴とする監視装置。
【請求項８】
請求項１〜７のいずれか１項において、
自装置以外の装置から送信された、前記監視エリア及び不審者の監視を行う期間である監視期間を指定する設定メッセージを前記通信部で受信した場合に、設定メッセージで指定された監視エリアを自装置の監視エリアに自動で設定するとともに、設定メッセージで指定された監視期間を自装置の監視期間に自動で設定する自動設定手段（１５ａ、１５ｂ）を備え、
前記不審者判定手段は、自動設定手段で設定された監視期間に撮像された監視画像であって、且つ、自動設定手段で設定された監視エリア内を撮像した監視画像を選択して、選択した監視画像内に不審者が存在するか否かを判定することを特徴とする監視装置。
【請求項９】
請求項１〜８のいずれか１項において、
前記通信部は、警備に関する公務若しくはサービスを行う組織のサーバ装置、及びユーザに用いられる端末装置としてのユーザ端末（３）と通信可能な監視センタ（２）との間で情報を送受信することが可能なものであって、
前記不審者が含まれる監視画像、当該監視画像を撮像したカメラ位置、及び当該監視画像を撮像した撮像方向とから、当該不審者の位置を推定する不審者位置推定手段（１５ａ、１５ｂ、Ｓ２６）と、
他監視装置から前記通信部で受信した前記不審者情報応答メッセージと、自装置の前記監視カメラで撮像した監視画像のうちの少なくとも不審者が含まれる領域の画像データ及び不審者位置推定手段で推定した当該不審者の位置を含む不審者検出メッセージを、前記通信部から前記監視センタに送信させる監視装置側送信手段（１５ａ、１５ｂ）とを備えていることを特徴とする監視装置。
【請求項１０】
車両に搭載されるとともに、
監視画像を所定の撮像間隔で逐次撮像する監視カメラ（１２ｂ）と、情報を保存するための記憶部（１４ｂ）と、情報の送受信を行う通信部（１１ｂ）と、監視制御部（１５ｂ）とを備え、
監視制御部は、
監視カメラで撮像した監視画像及びカメラ位置を前記記憶部に逐次保存する画像保存手段（１５ｂ）と、
画像保存手段で記憶部に保存した監視画像及びカメラ位置をもとに、設定された監視エリア内に不審者が存在するか否かを判定する不審者判定手段（１５ｂ）とを備えている監視装置（１ｂ）であって、
不審者判定手段で不審者が存在すると判定した場合に、前記不審者が含まれている監視画像を前記記憶部から抽出して、当該監視画像のうちの少なくとも前記不審者が含まれる領域の画像データを含む不審者情報応答メッセージを生成する応答生成手段（１５ｂ）と、
応答生成手段で生成した不審者情報応答メッセージを、警備に関する公務若しくはサービスを行う組織のサーバ装置、及びユーザに用いられる端末装置としてのユーザ端末（３）と通信可能な監視センタ（２）へ前記通信部から送信させる応答送信手段（１５ｂ）とを備えていることを特徴とする監視装置。
【請求項１１】
請求項９に記載の監視装置（１、１ａ、１ｂ）から送信された前記不審者情報応答メッセージ及び前記不審者検出メッセージを受信するセンタ側受信手段（２１）と、
センタ側受信手段で不審者情報応答メッセージ及び不審者検出メッセージを受信した場合に、この不審者情報応答メッセージ及び不審者検出メッセージをもとに、不審者の存在を少なくとも示す不審者検出通知を、警備に関する公務若しくはサービスを行う組織のサーバ装置に送信させる通報手段（２３）と、
センタ側受信手段で不審者情報応答メッセージ及び不審者検出メッセージを受信した場合に、この不審者情報応答メッセージ及び不審者検出メッセージをもとに、前記不審者検出通知を、電子メッセージ及び電話の少なくともいずれかによって、前記監視装置のユーザに通知させるユーザ通知手段（２３）とを備えていることを特徴とする監視センタ。
【請求項１２】
請求項１１において、
前記ユーザ通知手段は、前記センタ側受信手段で、不審者が含まれる領域の画像データに加え、当該不審者の位置の情報も含む前記不審者情報応答メッセージ及び前記不審者検出メッセージを受信した場合に、当該不審者情報応答メッセージ及び当該不審者検出メッセージに含まれる当該画像データと当該不審者の位置の情報とを含む前記不審者検出通知を、前記ユーザ端末に送信させることを特徴とする監視センタ。
【請求項１３】
請求項１２において、
前記ユーザ端末（３）から送信された、前記監視エリア及び不審者の監視を行う期間である監視期間を指定する設定メッセージを受信する設定受信手段（２１）と、
設定受信手段で受信した設定メッセージを前記監視装置に送信させるセンタ側転送手段
（２３）とを備えることを特徴とする監視センタ。
【発明の詳細な説明】
【技術分野】
【０００１】
本発明は、監視装置及び監視センタに関するものである。
【背景技術】
【０００２】
従来、監視カメラを用いた防犯システムが知られている。例えば、特許文献１には、複数のテレビドアホン装置が設置された地域内において、各テレビドアホン装置を使用して構築される防犯システムが開示されている。特許文献１に開示の防犯システムでは、複数のテレビドアホンがネットワークを介して情報格納サーバや情報管理サーバに接続されている。また、特許文献１に開示の防犯システムでは、地域内を移動する人の映像は、各テレビドアホンの監視カメラによって撮像され、撮像された映像（つまり、撮像画像）を含む情報が情報格納サーバに送信される。
【先行技術文献】
【特許文献】
【０００３】
【特許文献１】特開２００８−１１２４０２号公報
【発明の概要】
【発明が解決しようとする課題】
【０００４】
特許文献１に開示の技術では、撮像画像の情報はデータ容量の大きい情報であるため、複数のテレビドアホン装置から情報格納サーバが撮像画像の含まれる情報を取得しようとすると、ネットワークの通信帯域を逼迫させてしまい、輻輳が生じ易くなるという問題点があった。
【０００５】
また、特許文献１に開示の技術では、特定の不審者に関する撮像画像を収集しようとした場合に、複数のテレビドアホン装置から取得した全撮像画像から、特定の不審者に関する撮像画像を選択する手間が生じるという問題点があった。なお、これらの問題点は、通信手段としてネットワーク以外に無線通信を利用した場合にも生じる。
【０００６】
本発明は、上記従来の問題点に鑑みなされたものであって、その目的は、監視カメラで撮像された撮像画像を通信によって収集する際に輻輳を生じ難くするとともに、特定の不審者に関する撮像画像を効率よく収集することを可能にする監視装置及び監視センタを提供することにある。
【課題を解決するための手段】
【０００７】
監視装置に係る第１の発明は、監視画像を所定の撮像間隔で逐次撮像する監視カメラ（１２ａ、１２ｂ）と、情報を保存するための記憶部（１４ａ、１４ｂ）と、情報の送受信を行う通信部（１１ａ、１１ｂ）と、監視制御部（１５ａ、１５ｂ）とを備え、監視制御部は、監視カメラで撮像した監視画像及びカメラ位置を記憶部に逐次保存する画像保存手段（１５ａ、１５ｂ、Ｓ１）と、画像保存手段で記憶部に保存した監視画像及びカメラ位置をもとに、設定された監視エリア内に不審者が存在するか否かを判定する不審者判定手段（１５ａ、１５ｂ、Ｓ２１）とを備えている監視装置（１、１ａ、１ｂ）であって、不審者判定手段で不審者が存在すると判定した場合に、監視画像から当該不審者の特徴である不審者特徴を抽出する特徴抽出手段（１５ａ、１５ｂ、Ｓ２５）と、不審者判定手段で不審者が存在すると判定した場合に、特徴抽出手段で抽出した当該不審者特徴を含む不審者情報要求メッセージを生成する要求生成手段（１５ａ、１５ｂ、Ｓ２７）と、要求生成手段で生成した不審者情報要求メッセージを通信部から送信させる要求送信手段（１５ａ、１５ｂ、Ｓ２８）と、自装置以外の監視装置である他監視装置（１、１ａ、１ｂ）から送信された不審者情報要求メッセージを通信部で受信した場合に、受信した不審者情報要求メッセージに含まれる不審者特徴に類似する特徴を有する不審者が記憶部に保存した監視画像中に含まれているか否かを判定する特徴判定手段（１５ａ、１５ｂ、Ｓ４３）と、特徴判定手段で不審者特徴に類似する特徴を有する不審者が含まれていると判定した場合に、当該不審者が含まれている監視画像を記憶部から抽出して、当該監視画像のうちの少なくとも不審者が含まれる領域の画像データを含む不審者情報応答メッセージを生成する応答生成手段（１５ａ、１５ｂ、Ｓ４６）と、応答生成手段で生成した不審者情報応答メッセージを、通信部から不審者情報要求メッセージの送信元の他監視装置へ送信させる応答送信手段（１５ａ、１５ｂ）とを備えていることを特徴としている。
【００１２】
また、監視装置に係る第２の発明は、車両に搭載されるとともに、監視画像を所定の撮像間隔で逐次撮像する監視カメラ（１２ｂ）と、情報を保存するための記憶部（１４ｂ）と、情報の送受信を行う通信部（１１ｂ）と、監視制御部（１５ｂ）とを備え、監視制御部は、監視カメラで撮像した監視画像及びカメラ位置を記憶部に逐次保存する画像保存手段（１５ｂ）と、画像保存手段で記憶部に保存した監視画像及びカメラ位置をもとに、設定された監視エリア内に不審者が存在するか否かを判定する不審者判定手段（１５ｂ）とを備えている監視装置（１ｂ）であって、不審者判定手段で不審者が存在すると判定した場合に、不審者が含まれている監視画像を記憶部から抽出して、当該監視画像のうちの少なくとも不審者が含まれる領域の画像データを含む不審者情報応答メッセージを生成する応答生成手段（１５ｂ）と、応答生成手段で生成した不審者情報応答メッセージを、警備に関する公務若しくはサービスを行う組織のサーバ装置、及びユーザに用いられる端末装置としてのユーザ端末（３）と通信可能な監視センタ（２）へ通信部から送信させる応答送信手段（１５ｂ）とを備えていることを特徴としている。
【００１３】
この構成では、記憶部に逐次保存した監視画像のうち、不審者が含まれていない画像を送信せずに済み、不審者情報応答メッセージを送信する際の通信路の通信帯域を逼迫させ難くなる。従って、所定の監視エリアに侵入した不審者が含まれる画像を通信によって監視センタが収集する際に、輻輳が生じ難くなる。
【００１４】
また、設定された監視エリア内に不審者が存在する場合の監視画像の、少なくとも不審者が含まれる領域の画像データを、監視センタへ送信させるので、監視センタにおいて、複数の監視装置から同一の監視エリア内に存在する不審者に関する画像を収集することが可能になる。よって、監視センタにおいて、特定の不審者に関する画像を効率よく収集することが可能になる。
本発明の監視センタに係る発明は、通信部は、警備に関する公務若しくはサービスを行う組織のサーバ装置、及びユーザに用いられる端末装置としてのユーザ端末（３）と通信可能な監視センタ（２）との間で情報を送受信することが可能なものであって、不審者が含まれる監視画像、当該監視画像を撮像したカメラ位置、及び当該監視画像を撮像した撮像方向とから、当該不審者の位置を推定する不審者位置推定手段（１５ａ、１５ｂ、Ｓ２６）と、他監視装置から通信部で受信した不審者情報応答メッセージと、自装置の監視カメラで撮像した監視画像のうちの少なくとも不審者が含まれる領域の画像データ及び不審者位置推定手段で推定した当該不審者の位置を含む不審者検出メッセージを、通信部から監視センタに送信させる監視装置側送信手段（１５ａ、１５ｂ）とをさらに備えた前述の第１の発明の監視装置（１、１ａ、１ｂ）から送信された不審者情報応答メッセージ及び不審者検出メッセージを受信するセンタ側受信手段（２１）と、センタ側受信手段で不審者情報応答メッセージ及び不審者検出メッセージを受信した場合に、この不審者情報応答メッセージ及び不審者検出メッセージをもとに、不審者の存在を少なくとも示す不審者検出通知を、警備に関する公務若しくはサービスを行う組織のサーバ装置に送信させる通報手段（２３）と、センタ側受信手段で不審者情報応答メッセージ及び不審者検出メッセージを受信した場合に、この不審者情報応答メッセージ及び不審者検出メッセージをもとに、不審者検出通知を、電子メッセージ及び電話の少なくともいずれかによって、監視装置のユーザに通知させるユーザ通知手段（２３）とを備えていることを特徴としている。
【図面の簡単な説明】
【００１５】
【図１】監視エリア見守りシステム１００の概略的な構成を示すブロック図である。
【図２】固定監視装置１ａの概略的な構成の一例を示すブロック図である。
【図３】車載監視装置１ｂの概略的な構成の一例を示すブロック図である。
【図４】監視センタ２の概略的な構成の一例を示すブロック図である。
【図５】ユーザ端末３の概略的な構成の一例を示すブロック図である。
【図６】監視エリア見守りシステム１００における処理の流れの一例を示すシーケンス図である。
【図７】監視関連処理のフローの一例を示すフローチャートである。
【図８】不審者検出関連処理のフローの一例を示すフローチャートである。
【図９】監視エリアの説明を行うための模式図である。
【図１０】監視ＤＢ１４ａに保存されるデータの説明を行うための模式図である。
【図１１】不審者情報要求メッセージのデータ構造の一例を示す模式図である。
【図１２】メッセージＩＤの説明を行うための模式図である。
【図１３】不審者情報応答メッセージのデータ構造の一例を示す模式図である。
【図１４】不審者情報要求メッセージを送信する範囲の一例を示す模式図である。
【図１５】要求メッセージ応答処理のフローの一例を示すフローチャートである。
【図１６】不審者検出メッセージのデータ構造の一例を示す模式図である。
【図１７】不審者検出通知のデータ構造の一例を示す模式図である。
【図１８】不審者検出通知処理のフローの一例を示すフローチャートである。
【図１９】不審者検出画面の一例を示す図である。
【図２０】不審者検出画面の一例を示す図である。
【図２１】不審者移動経路通知のデータ構造の一例を示す模式図である。
【図２２】不審者移動経路画面の一例を示す図である。
【図２３】監視エリア見守りシステム２００の概略的な構成を示すブロック図である。
【図２４】監視エリアの説明を行うための模式図である。
【図２５】監視エリア見守りシステム２００における処理の流れの一例を示すシーケンス図である。
【図２６】端末側見守り設定処理のフローの一例を示すフローチャートである。
【図２７】見守り設定メッセージのデータ構造の一例を示す模式図である。
【発明を実施するための形態】
【００１６】
以下、本発明の実施形態について図面を用いて説明する。
【００１７】
（実施形態１）
図１に示すように、監視エリア見守りシステム１００は、監視装置１、監視センタ２、及びユーザ端末３を含んでいる。監視装置１には、固定監視装置１ａと車載監視装置１ｂとがあるものとする。
【００１８】
本実施形態では、図１に示すように、監視エリア見守りシステム１００は、住宅Ａの固定監視装置１ａ、車載監視装置１ｂ、監視センタ２、及びユーザ端末３を含む場合を例に挙げて説明を行う。
【００１９】
固定監視装置１ａは、住宅や施設等の建物の敷地内に設置される。本実施形態では、一例として住宅（図１のＡ参照）の敷地内に設置されるものとして説明を行う。ここで、図２を用いて固定監視装置１ａの概略的な構成の一例について説明を行う。図２に示すように、固定監視装置１ａは、通信装置１１ａ、カメラ１２ａ、威嚇装置１３ａ、監視ＤＢ１４ａ、及び監視制御装置１５ａを備えている。
【００２０】
通信装置１１ａは、監視センタ２や車載監視装置１ｂや自装置以外の固定監視装置１ａとの情報の送受信（つまり、通信）を行う。通信装置１１ａは、監視センタ２、車載監視装置１ｂ、固定監視装置１ａといった異なる種類の通信対象に応じて、異なる通信手段を備える構成とすればよい。通信装置１１ａが請求項の通信部に相当する。
【００２１】
例えば、監視センタ２との通信は、インターネット等のネットワークを介して行う構成とすればよい。監視センタ２との通信は、有線のみによって行う構成に限らず、ＩＥＥＥ８０２．１１やＷｉＭＡＸ（登録商標）やＢｌｕｅｔｏｏｔｈ（登録商標）等の無線ＬＡＮ規格に従った無線通信も利用する構成としてもよい。
【００２２】
また、車載監視装置１ｂや自装置以外の固定監視装置１ａとの通信は、例えばネットワークを介さずに無線通信によって行う構成とすればよい。例えば、車載監視装置１ｂや自装置以外の固定監視装置１ａと無線通信を行う場合には、７００ＭＨｚ帯や５．９ＧＨｚ帯の電波を用いた無線通信を行う構成としてもよいし、ＩＥＥＥ８０２．１１等の無線ＬＡＮ規格に従った無線通信を行う構成としてもよい。
【００２３】
カメラ１２ａは、住宅Ａの敷地内に設置され、住宅Ａの周囲を逐次（例えば１００ｍｓｅｃごとに）撮像する。カメラ１２ａが撮像した住宅Ａの周辺の監視画像は、監視制御装置１５ａに出力される。カメラ１２ａが請求項の監視カメラに相当する。
【００２４】
例えばカメラ１２ａとしては、ＣＣＤ（Charge Coupled Device）を使用したカラーカメラを用いる構成とすればよい。便宜上、図１には固定監視装置１ａのカメラ１２ａが１台のみの構成を示したが、必ずしもこれに限らず、複数台備えられる構成としてもよい。
【００２５】
カメラ１２ａは、住宅Ａに取り付けられる構成としてもよいし、住宅Ａの周囲の庭や駐車場等に設置される構成としてもよい。カメラ１２ａは、光軸が固定されて設置される構成としてもよいし、モータ等のアクチュエータによってカメラ１２ａの光軸の向きを変化させることができるようになっている構成としてもよい。光軸が固定されている場合には、カメラ１２ａによる撮像領域は固定されるが、光軸の向きを変化させることができる場合には、カメラ１２ａによる撮像領域は移動することになる。また、カメラ１２ａは、レール上をスライドするなどして、位置が移動する構成としてもよい。
【００２６】
威嚇装置１３ａは、威嚇を行うための装置であって、監視制御装置１５ａの指示に従って威嚇を行う。威嚇装置１３ａとしては、例えば警報音を出力する警報器や光を照射する照明装置や煙や水を噴射したりする装置等を用いる構成とすればよい。監視ＤＢ１４ａは、ＨＤＤ等の電気的に書き換え可能な大容量の記憶装置である。監視ＤＢ１４ａが請求項の記憶部に相当する。
【００２７】
監視制御装置１５ａは、通常のコンピュータとして構成されており、内部には周知のＣＰＵ、ＲＯＭやＲＡＭやＥＥＰＲＯＭなどのメモリ、Ｉ／Ｏ、及びこれらの構成を接続するバスライン（いずれも図示せず）などが備えられている。
【００２８】
監視制御装置１５ａは、通信装置１１ａ、カメラ１２ａ、監視ＤＢ１４ａから入力された各種情報に基づき、ＲＯＭに記憶された各種の制御プログラムを実行することで、不審者の監視に関連する処理（以下、監視関連処理）等の各種の処理を実行する。監視制御装置１５ａが請求項の監視制御部に相当する。
【００２９】
車載監視装置１ｂは、車両（図１のＢ１、Ｂ２参照）に設置される。本実施形態では、一例として車両Ｂ１、車両Ｂ２にそれぞれ搭載されるものとして説明を行う。ここで、図３を用いて車載監視装置１ｂの概略的な構成の一例について説明を行う。図３に示すように、車載監視装置１ｂは、通信装置１１ｂ、カメラ１２ｂ、監視ＤＢ１４ｂ、監視制御装置１５ｂ、位置検出器１６、警報器１７、及び照明装置１８を備えている。
【００３０】
本実施形態では、一例として、監視制御装置１５ｂ、位置検出器１６、警報器１７、照明装置１８は、ＣＡＮ（controller areanetwork）などの通信プロトコルに準拠した車載ＬＡＮ１９で各々接続されているものとする。
【００３１】
通信装置１１ｂは、通信装置１１ａと同様のものである。よって、通信装置１１ａの説明と重複する点については説明を省略し、通信装置１１ａと異なる点についての説明を行う。通信装置１１ｂも請求項の通信部に相当する。
【００３２】
例えば、通信装置１１ｂと監視センタ２との通信は、ＤＣＭ等のテレマティクス通信に用いる通信モジュールやＢｌｕｅｔｏｏｔｈ（登録商標）通信によって接続される携帯電話機等を利用する構成とすればよい。また、自装置以外の車載監視装置１ｂと通信を行う場合には、７００ＭＨｚ帯や５．９ＧＨｚ帯の電波を用いた無線通信を行う構成としてもよいし、ＩＥＥＥ８０２．１１等の無線ＬＡＮ規格に従った無線通信を行う構成としてもよい。
【００３３】
カメラ１２ｂは、車両Ｂ１・Ｂ２に設置され、自車の周辺を逐次（例えば１００ｍｓｅｃごとに）撮像する。カメラ１２ｂが撮像した自車の周辺の監視画像は、監視制御装置１５ｂに出力される。カメラ１２ｂも請求項の監視カメラに相当する。例えばカメラ１２ａとしては、ＣＣＤ（Charge Coupled Device）を使用したカラーカメラを用いる構成とすればよい。
【００３４】
一例としては、カメラ１２ｂは、自車の例えば前部バンパよりも上方に、光軸が車体前方を向くように設置され、自車前方に所定角範囲で広がる領域を撮像する。また、カメラ１２ｂは、自車の側面に、光軸が車体側方や車体側方から斜め前方を向くように設置され、自車側方や自車側方から斜め前方に所定各範囲で広がる領域を撮像する構成としてもよい。他にも、これらを組み合わせる構成としてもよい。監視ＤＢ１４ｂは、ＨＤＤ等の電気的に書き換え可能な大容量の記憶装置である。監視ＤＢ１４ｂも請求項の記憶部に相当する。
【００３５】
位置検出器１６は、例えば地磁気を検出する地磁気センサ、自車の鉛直方向周りの角速度を検出するジャイロスコープ、各転動輪の回転速度から自車の速度を検出する車輪速センサ、及び衛星からの電波に基づいて現在位置を検出するＧＰＳ（global positioning system）のためのＧＰＳ受信機といった各センサから得られる情報をもとに、現在位置の検出を逐次行う。なお、現在位置は、座標（緯度・経度・高度）で表すものとすればよい。また、地磁気センサからは自車の進行方向（方位角）が検出されるものとする。なお、方位角は、北を基準方位とし、時計回りを正の角度で表すものとすればよい。
【００３６】
これらのセンサは、各々が性質の異なる誤差を持っているため、複数のセンサにより各々補完しながら使用するように構成されている。なお、各センサの精度によっては位置検出器１６を上述した内の一部で構成してもよいし、上述した以外のセンサを用いる構成としてもよい。
【００３７】
また、本実施形態では、衛星測位システムの受信機として、ＧＰＳのためのＧＰＳ受信機を用いる構成を示したが、必ずしもこれに限らない。例えば、ＧＰＳ以外の衛星測位システムの受信機を用いる構成としてもよい。
【００３８】
警報器１７は、警報音を出力するための装置であって、監視制御装置１５ｂの指示に従って警報音を出力する。警報器１７は、例えば車両のクラクション（警音器）を利用する構成としてもよいし、クラクションとは別に設ける構成としてもよい。照明装置１８は、光を照射するための装置であって、監視制御装置１５ｂの指示に従って光を照射する。照明装置１８は、例えば車両の前照灯や霧灯を利用する構成としてもよいし、前照灯や霧灯とは別に設ける構成としてもよい。
【００３９】
監視制御装置１５ｂは、通常のコンピュータとして構成されており、内部には周知のＣＰＵ、ＲＯＭやＲＡＭやＥＥＰＲＯＭなどのメモリ、Ｉ／Ｏ、及びこれらの構成を接続するバスライン（いずれも図示せず）などが備えられている。監視制御装置１５ｂも請求項の監視制御部に相当する。
【００４０】
監視制御装置１５ｂは、通信装置１１ｂ、カメラ１２ｂ、監視ＤＢ１４ｂ、位置検出器１６から入力された各種情報に基づき、ＲＯＭに記憶された各種の制御プログラムを実行することで、不審者の監視に関連する処理（つまり、監視関連処理）等の各種の処理を実行する。
【００４１】
図１に戻って、監視センタ２は、サーバ装置から構成されるものである。なお、監視センタ２は、１つのサーバ装置からなるものであってもよいし、複数のサーバ装置からなっているものであってもよい。
【００４２】
ここで、図４を用いて監視センタ２の概略的な構成の一例について説明を行う。図４に示すように、監視センタ２は、センタ側通信部２１、不審者情報データベース（ＤＢ）２２、及びセンタ側制御部２３を備えている。
【００４３】
センタ側通信部２１は、固定監視装置１ａや車載監視装置１ｂから送信されてくる不審者情報応答メッセージや不審者検出メッセージ等の情報を受信してセンタ側制御部２３に出力する。また、センタ側通信部２１は、センタ側制御部２３の指示に基づいて、後述の不審者検出通知を、警備に関する公務若しくはサービスを行う組織のサーバ装置に送信する。また、センタ側通信部２１は、センタ側制御部２３の指示に基づいて、不審者検出通知を、ユーザ端末３にも送信する。
【００４４】
ここで言うところの警備に関する公務若しくはサービスを行う組織とは、例えば警察や警備会社や警備に関するサービスを行っている通信会社等を示している。なお、センタ側通信部２１と、車載監視装置１ｂ、固定監視装置１ａ、ユーザ端末３、警備に関する公務若しくはサービスを行う組織のサーバ装置との通信は、ネットワークを介して行う構成とすればよい。
【００４５】
センタ側制御部２３は、通常のコンピュータとして構成されており、内部には周知のＣＰＵ、ＲＯＭやＲＡＭやＥＥＰＲＯＭなどのメモリ、Ｉ／Ｏ、およびこれらの構成を接続するバスライン（いずれも図示せず）などが備えられている。センタ側制御部２３は、センタ側通信部２１、不審者情報ＤＢ２２から入力された各種情報に基づき、後述の不審者検出通知関連処理等の各種の処理を実行する。例えば、センタ側制御部２３は、固定監視装置１ａや車載監視装置１ｂから受信した不審者情報応答メッセージや不審者検出メッセージを不審者情報ＤＢ２２に格納する。
【００４６】
図１に戻って、ユーザ端末３は、ユーザに用いられる端末装置である。例えば、ユーザ端末３としては、携帯電話機、タブレット型コンピュータ、ノートＰＣ、デスクトップＰＣ、ＰＤＡ（Personal DigitalAssistants）等を用いることができる。なお、後に詳述する不審者検出通知や不審者移動経路通知を受けたことをユーザが迅速に認識し、不審者検出通知や不審者移動経路通知の内容を迅速に知ることが可能になるという観点からは、携帯電話機等のユーザに携行される携帯端末を用いる構成とすることがより好ましい。
【００４７】
本実施形態では、ユーザ端末３としてタッチパネル式携帯電話機を用いる場合を例に挙げて以降の説明を行う。なお、便宜上、一般的なタッチパネル式携帯電話機が有している機能に関する構成のうち、本発明の説明に不要なものについては説明を省略する。
【００４８】
ここで、図５を用いてユーザ端末３の概略的な構成の一例について説明を行う。図５に示すように、ユーザ端末３は、端末側通信部３１、端末側記憶部３２、表示部３３、操作入力部３４、及び端末側制御部３５を備えている。
【００４９】
端末側通信部３１は、監視センタ２から送信されてくる不審者検出通知や不審者移動経路通知等の情報を受信して端末側制御部３５に出力する。表示部３３は、例えばフルカラー表示が可能な液晶ディスプレイや有機ＥＬディスプレイなどを用いて構成する。
【００５０】
操作入力部３４は、例えば表示部３３と一体になったタッチスイッチやメカニカルなスイッチ等が用いられ、スイッチ操作により端末側制御部３５へ各種の操作指示を行う。
【００５１】
端末側制御部３５は、通常のコンピュータとして構成されており、内部には周知のＣＰＵ、ＲＯＭやＲＡＭやＥＥＰＲＯＭなどのメモリ、Ｉ／Ｏ、およびこれらの構成を接続するバスライン（いずれも図示せず）などが備えられている。端末側制御部３５は、端末側通信部３１、端末側記憶部３２、操作入力部３４から入力された各種情報に基づき、不審者検出通知や不審者移動経路通知の内容の表示に関連する処理等の各種の処理を実行する。
【００５２】
続いて、図６のシーケンス図を用いて、監視エリア見守りシステム１００における処理の流れの一例についての説明を行う。ここでは、住宅Ａの固定監視装置１ａで不審者の検出が行われ、固定監視装置１ａから車両Ｂ１・Ｂ２の車載監視装置１ｂに不審者情報要求メッセージが送信される場合を例に挙げて説明を行う。
【００５３】
まず、固定監視装置１ａが、監視関連処理を行う（ｔ１）。ここで、図７のフローチャートを用いて、監視関連処理の概略についての説明を行う。図７のフローは、固定監視装置１ａの電源がオンになるなどして固定監視装置１ａが起動したときに開始される。
【００５４】
ステップＳ１では、監視制御装置１５ｂが撮像関連処理を行って、ステップＳ２に移る。撮像関連処理では、カメラ１２ａで逐次撮像される監視画像を取得するごとに、その監視画像を、その監視画像の撮像日時、その監視画像を撮像したカメラ１２ａのカメラ位置、その監視画像の撮像時の当該カメラ１２ａの撮像方向の情報と紐付けして、監視ＤＢ１４ａに保存する(図１０参照)。よって、このステップＳ１の処理が請求項の画像保存手段に相当する。
【００５５】
なお、監視ＤＢ１４ａに保存した情報は、監視ＤＢ１４ａの容量を超える場合に、古い情報から消去していく構成としてもよいし、保存してから一定期間以上経過した情報を消去していく構成としてもよい。
【００５６】
カメラ１２ａのカメラ位置は、例えば座標（緯度・経度・高度）で表すものとする。カメラ１２ａの撮像方向は、カメラ１２ａの光軸の方位角及び仰俯角で表すものとする。なお、方位角は北を基準とし、仰俯角は水平を基準とする構成とすればよい。
【００５７】
カメラ１２ａのカメラ位置や撮像方向は、固定されている場合には、例えばカメラ１２ａの設置時等に予め計測した値を監視制御装置１５ｂのＥＥＰＲＯＭ等の不揮発性メモリに格納しておくことで、利用可能とする構成とすればよい。また、カメラ１２ａのカメラ位置や撮像方向が変化可能となっている場合には、公知のデジタルカメラ等において撮像位置や撮像時の方位角及び仰角を記録する技術に用いられているのと同様の技術を用いて、カメラ位置や撮像方向を逐次決定する構成としてもよい。
【００５８】
撮像関連処理では、カメラ１２ａが複数台設置されている場合には、個々のカメラ１２ａについて、撮像日時、カメラ位置、及び撮像方向を撮像画像に紐付けて格納することになる。
【００５９】
ステップＳ２では、監視制御装置１５ｂが不審者検出関連処理を行って、ステップＳ３に移る。ここで、図８のフローチャートを用いて、不審者検出関連処理の概略について説明を行う。
【００６０】
まず、ステップＳ２１では、不審者有無判定処理を行って、ステップＳ２２に移る。不審者有無判定処理では、撮像関連処理で監視ＤＢ１４ａに保存した監視画像をもとに、設定された監視エリアに不審者が存在するか否かを判定する。このステップＳ２１が請求項の不審者判定手段に相当する。
【００６１】
ここで言うところの監視エリアとは、例えば複数の座標（本例では緯度・経度・高度）を結んだ閉路で表されるものである。監視エリアは、固定であってもよいし、複数のパターンに切り替え可能であってもよい。監視エリアの設定は、例えば固定監視装置１ａの図示しない操作入力部を介して予め設定される構成などとすればよい。
【００６２】
ここで、図９を用いて、監視エリアの一例についての説明を行う。図９のＡが前述の住宅Ａを表しており、斜線で示した領域が監視エリアを表している。監視エリアは、一例として住宅Ａの敷地内の建物の周囲にある庭や駐車場に設定し、住宅Ａの敷地内の庭や駐車場に侵入した不審者を検出するようにすればよい。また、カメラ１２ａは、この監視エリア内を撮像するように設置され、威嚇装置１３ａは、この監視エリアに侵入した不審者に対して威嚇を行うことができるように設置されるものとする。
【００６３】
また、不審者が存在するか否かの判定は、公知の画像認識技術を用いて行う構成とすればよい。例えば、あらゆる姿勢の人物の画像例（つまり、正解画像例）と明らかに人でない構造物等の画像例（つまり、非正解画像例）とを監視制御装置１５ａのＥＥＰＲＯＭ等の不揮発性メモリ等に格納しておく。そして、この不揮発性メモリに格納されている非正解画像例に類似している画像は除去する一方、正解画像例に類似している画像を不審者候補画像として検出する。
【００６４】
さらに、住宅Ａの住人やその知人の画像例（以下、除外画像例）も監視制御装置１５ａのＥＥＰＲＯＭ等の不揮発性メモリ等に格納しておき、この除外画像例に類似している画像を除く不審者候補画像が得られた場合に、監視エリア内に不審者が存在すると判定する構成とすればよい。また、この不審者候補画像に含まれる人物を不審者と検出して検出する。
【００６５】
なお、パターンマッチングの具体的アルゴリズムは、種々の公知のものを採用できる。例えばニューラルネットやＡｄＢｏｏｓｔなどのブースティング、サポートベクタマシン等を用いて機械学習して構築されたパターン識別器を用いて、パターンマッチングする構成としてもよい。
【００６６】
また、ここでは、住宅Ａの住人やその知人を除く人物が含まれる監視画像が得られた場合に、不審者が存在すると判定する構成を示したが、必ずしもこれに限らない。例えば、住宅Ａの住人やその知人か、それ以外の人物かに関わらず、人物が含まれる監視画像が得られた場合に、不審者が存在すると判定する構成としてもよい。
【００６７】
ステップＳ２２では、不審者有無判定処理で不審者が存在すると判定した場合（ステップＳ２２でＹＥＳ）には、ステップＳ２３に移る。一方、不審者有無判定処理で不審者が存在しないと判定した場合（ステップＳ２２でＮＯ）には、ステップＳ２９に移る。
【００６８】
ステップＳ２３では、不審者検出フラグをオンにして、ステップＳ２４に移る。ステップＳ２４では、威嚇装置１３ａを駆動させて、不審者を威嚇し、ステップＳ２５に移る。ステップＳ２５では、特徴抽出処理を行ってステップＳ２６に移る。特徴抽出処理では、不審者有無判定処理で検出した不審者の画像をもとに、公知の画像認識技術を用いて当該不審者の特徴を抽出する。
【００６９】
また、抽出した不審者特徴は、不審者が検出された監視画像に追加して紐付けして監視ＤＢ１４ａに保存する（図１０参照）。不審者が検出されなかった監視画像については、不審者特徴は紐付けされない（図１０の「None」参照）。
【００７０】
一例としては、人体の各部や靴等の装備品ごとの画像例を用いてパターンマッチングを行うことにより、不審者の人体の各部や装備品を特定し、画像の色の比率や形状などをもとに、服の色、髪の色、目の色、靴の色、服の種別、靴の種別、性別等の特徴を抽出する構成とすればよい。また、監視画像中での不審者の大きさをもとに、不審者の身長を抽出する構成とすればよい。なお、特徴を抽出した部分の画像データを不審者特徴として監視画像に追加して紐付けして監視ＤＢ１４ａに保存する構成としてもよい。
【００７１】
ステップＳ２６では、位置推定処理を行ってステップＳ２７に移る。位置推定処理では、不審者有無判定処理で検出した不審者の位置の座標（以下、不審者位置）を推定する。よって、このステップＳ２６の処理が請求項の不審者位置推定手段に相当する。一例としては、不審者位置は、カメラ１２ａのカメラ位置と撮像方向とが決まれば、監視画像中の物体の位置を実際の座標（本例では緯度・経度・高度）に変換することが可能なため、これを利用して推定する構成とすればよい。
【００７２】
また、抽出した不審者位置も、不審者が検出された監視画像に追加して紐付けして監視ＤＢ１４ａに保存する（図１０参照）。不審者が検出されなかった監視画像については、不審者位置は紐付けされない（図１０の「None」参照）。なお、障害物までの距離を検出する測距センサを固定監視装置１ａに備えることによって、この測距センサを用いて不審者位置を決定する構成としてもよい。
【００７３】
ステップＳ２７では、要求メッセージ生成処理を行って、ステップＳ２８に移る。要求メッセージ生成処理では、不審者有無判定処理で監視エリア内に存在すると判定された不審者についての不審者情報要求メッセージを生成する。よって、このステップＳ２７の処理が請求項の要求生成手段に相当する。
【００７４】
例えば不審者情報要求メッセージは、図１１に示すように、送信元となる自装置を特定するための「識別情報（例えば機器ＩＤ）」、メッセージの種別を示す「メッセージＩＤ」、位置推定処理で推定した「不審者位置」、不審者の検出日時を示す「検出日時」、特徴抽出処理で抽出した「不審者の特徴（以下、不審者特徴）」、不審者の情報の収集対象となる期間を指定する「収集期間」、不審者の情報の収集対象となるエリアを指定する「収集エリア」の情報からなる。なお、「収集期間」の情報が請求項の期間指定情報、「収集エリア」の情報が請求項のエリア指定情報に相当する。
【００７５】
「機器ＩＤ」は、固定監視装置１ａのＲＯＭ等の不揮発性メモリに予め記録されているものを取得して用いる構成とすればよい。「メッセージＩＤ」は、メッセージの種別ごとに予め設定されているＩＤを選択して決定する構成とすればよい。一例としては、図１２に示すように、不審者情報要求メッセージは「０」、後述の不審者情報応答メッセージは「１」、後述の不審者検出メッセージは「２」と設定されている。不審者情報要求メッセージの場合には、「０」を選択して「メッセージＩＤ」として決定する。検出日時は、不審者が含まれている監視画像の撮像日時とすればよい。
【００７６】
「収集期間」は、例えば収集開始日時と収集終了日時からなり、不審者が含まれている監視画像の撮像日時の前後十数分といった、少なくとも過去に遡った期間を指定するものとする。一例としては、収集開始日時「２０１１年１２月１日００時１５分３０．２２０秒」、収集終了日時「２０１１年１２月１日００時３５分３０．２２０秒」等のように指定する構成とすればよい。「収集エリア」は、例えば住宅Ａの敷地から数十メートル程度の範囲を表す座標群といった、複数の座標によって指定するものとする。
【００７７】
ステップＳ２８では、要求メッセージ送信処理を行い、ステップＳ３に移る。要求メッセージ送信処理では、要求メッセージ生成処理で生成した不審者情報要求メッセージを通信装置１１ａから、通信装置１１ａの通信範囲内（図１４の破線の円参照）に送信させる。よって、このステップＳ２７の処理が請求項の要求送信手段に相当する。
【００７８】
ステップＳ２２において不審者が存在しないと判定した場合のステップＳ２９では、不審者検出フラグがオンになっていた場合（ステップＳ２９でＹＥＳ）には、ステップＳ３０に移る。一方、不審者検出フラグがオフになっていた場合（ステップＳ２９でＮＯ）には、ステップＳ３に移る。ステップＳ３０では、威嚇装置１３ａを停止させてステップＳ３０に移る。ステップＳ３１では、不審者検出フラグをオフにして、ステップＳ３に移る。
【００７９】
なお、不審者有無判定処理は、撮像関連処理で新しい監視画像が得られるたびに行う構成としてもよいし、撮像関連処理で新たに保存した監視画像が一定期間分や一定容量分に達するたびに行う構成としてもよい。
【００８０】
図７に戻って、ステップＳ３では、監視制御装置１５ａが、自装置以外の固定監視装置１ａや車載監視装置１ｂから不審者情報要求メッセージを受信したか否かを判定する。例えば、一定期間内に不審者情報要求メッセージが通信装置１１ａから入力されていた場合に、不審者情報要求メッセージを受信したと判定し、一定期間内に不審者情報要求メッセージが通信装置１１ａから入力されていなかった場合に、不審者情報要求メッセージを受信していないと判定すればよい。
【００８１】
そして、不審者情報要求メッセージを受信したと判定した場合（ステップＳ３でＹＥＳ）には、ステップＳ４に移る。一方、不審者情報要求メッセージを受信していないと判定した場合（ステップＳ３でＮＯ）には、ステップＳ１に戻ってフローを繰り返す。
【００８２】
ステップＳ４では、監視制御装置１５ａが、要求メッセージ応答処理を行って、ステップ１に戻る。ここで、図１５のフローチャートを用いて、要求メッセージ応答処理の概略について説明を行う。なお、ステップＳ３、ステップＳ４において、ステップＳ１に戻ってフローを繰り返し、再び不審者有無判定処理を行う場合には、過去に不審者有無判定処理に既に用いた監視画像よりも撮像日時が新しい監視画像について、不審者有無判定処理を行うものとする。
【００８３】
まず、ステップＳ４１では、第１記録抽出処理を行って、ステップＳ４２に移る。第１記録抽出処理では、受信した不審者情報要求メッセージに含まれる「収集期間」をもとに、当該「収集期間」に撮像された監視画像を、自装置の監視ＤＢ１４ａに保存された監視画像のうちから選択して抽出する。
【００８４】
ステップＳ４２では、第２記録抽出処理を行って、ステップＳ４３に移る。第２記録抽出処理では、受信した不審者情報要求メッセージに含まれる「収集エリア」をもとに、当該「収集エリア」内のカメラ位置で撮像された監視画像を、第１記録抽出処理で抽出した監視画像のうちから選択してさらに抽出する。
【００８５】
ステップＳ４３では、特徴判定処理を行って、ステップＳ４４に移る。このステップＳ４３の処理が請求項の特徴判定手段に相当する。特徴判定処理では、受信した不審者情報要求メッセージに含まれる「不審者特徴」をもとに、当該「不審者特徴」に類似する特徴を有する不審者が含まれる監視画像が、第２記録抽出処理で抽出した監視画像に含まれているか否かを判定する。つまり、「不審者特徴」に類似する特徴を有する不審者が監視ＤＢ１４ａに保存した監視画像に含まれているか否かを判定する。
【００８６】
一例としては、第２記録抽出処理で抽出した監視画像に紐付けされている不審者特徴と、受信した不審者情報要求メッセージに含まれる「不審者特徴」とを比較する。そして、一致する特徴が所定の割合以上であった場合に、不審者情報要求メッセージに含まれる「不審者特徴」に類似する特徴を有する不審者が含まれる監視画像が、第２記録抽出処理で抽出した監視画像に含まれていると判定する。一方、一致する特徴が所定の割合未満であった場合には、含まれていないと判定する。ここで言うところの所定の割合は、０より大きい任意に設定可能な値である。
【００８７】
他にも、不審者情報要求メッセージに含まれる「不審者特徴」として、不審者の特徴部分の画像データを受信していた場合には、この画像データをもとに、公知のパターンマッチングを行う構成としてもよい。そして、マッチングする監視画像が得られた場合に、不審者情報要求メッセージに含まれる「不審者特徴」に類似する特徴を有する不審者が含まれる監視画像が、第２記録抽出処理で抽出した監視画像に含まれていると判定する構成としてもよい。
【００８８】
そして、特徴判定処理において、類似する特徴を有する不審者が含まれていると判定した場合（ステップＳ４４でＹＥＳ）には、ステップＳ４５に移る。一方、含まれていないと判定した場合（ステップＳ４４でＮＯ）には、後述の不審者情報応答メッセージの生成・送信を行わずに、ステップ１に戻る。
【００８９】
ステップＳ４５では、第３記録抽出処理を行って、ステップＳ４６に移る。第３記録抽出処理では、特徴判定処理において、不審者情報要求メッセージに含まれる「不審者特徴」に類似する特徴を有する不審者が含まれる監視画像と判定した監視画像を、第２記録抽出処理で抽出した監視画像のうちから抽出する。
【００９０】
ステップＳ４６では、応答メッセージ生成処理を行って、ステップＳ４７に移る。応答メッセージ生成処理では、第３記録抽出処理で抽出した監視画像をもとに、不審者情報要求メッセージで要求された不審者についての不審者情報応答メッセージを生成する。よって、このステップＳ４６の処理が請求項の応答生成手段に相当する。
【００９１】
例えば不審者情報応答メッセージは、図１３に示すように、送信元となる自装置を特定するための「識別情報（例えば機器ＩＤ）」、メッセージの種別を示す「メッセージＩＤ」、不審者の位置を示す「不審者位置」、監視画像の撮像時のカメラ位置を示す「カメラ位置」、監視画像の撮像時の撮像方向を示す「撮像方向」、監視画像の撮像日時を示す「撮像日時」、不審者が含まれる「不審者画像」の情報からなる。
【００９２】
「機器ＩＤ」及び「メッセージＩＤ」については、不審者情報要求メッセージの生成と同様にして決定する構成とすればよい。「不審者位置」及び「撮像日時」については、抽出した監視画像に紐付けされている不審者位置及び撮像日時を用いる構成とすればよい。「不審者画像」については、抽出した監視画像を「不審者画像」としてもよいし、抽出した監視画像のうちの不審者が含まれる領域の画像を「不審者画像」としてもよい。
【００９３】
なお、不審者が含まれる領域の画像を「不審者画像」とする構成とした方が、不審者情報応答メッセージのデータ量を抑えることができるので、より好ましい。また、不審者情報応答メッセージに「カメラ位置」と「撮像方向」とを含まない構成としてもよい。
【００９４】
ステップＳ４７では、応答メッセージ送信処理を行い、ステップＳ１に戻ってフローを繰り返す。応答メッセージ送信処理では、応答メッセージ生成処理で生成した不審者情報応答メッセージを通信装置１１ａから送信させる。
【００９５】
ここで、固定監視装置１ａと車載監視装置１ｂとの無線通信の通信プロトコルは、メッシュネットやMANET（mobile ad hoc network）などのアドホック通信プロトコルを用いる構成とすればよい。他にも、指定した特定のエリアに存在するノードに対して情報を伝達するジオキャストプロトコルを用いる構成としてもよいし、携帯電話やマルチキャストを活用した特定エリアへの情報配信のプロトコルを用いる構成としてもよい。
【００９６】
図６に戻って、住宅Ａの固定監視装置１ａで不審者が検出されると、不審者情報要求メッセージが送信される（ｔ２）。このとき、車両Ｂ１・Ｂ２の車載監視装置１ｂでも、固定監視装置１ａと同様に監視関連処理を行っており（ｔ３、ｔ４）。不審者情報要求メッセージを受信した場合に、監視制御装置１５ｂが不審者情報応答メッセージを住宅Ａの固定監視装置１ａに送信（返信）する（ｔ５、ｔ６）。よって、監視制御装置１５ｂも、請求項の特徴判定手段、応答生成手段、応答送信手段に相当する。
【００９７】
なお、車両Ｂ２の車載監視装置１ｂが送信した不審者情報応答メッセージを、車両Ｂ１の車載監視装置１ｂが受信して、住宅Ａの固定監視装置１ａに転送するといったように、車載監視装置１ｂが送信した不審者情報応答メッセージを、他の車載監視装置１ｂが受信して転送する構成としてもよい。この場合には、公知のマルチホップ通信プロトコルを利用する構成とすればよい。
【００９８】
ここで、車載監視装置１ｂでの監視関連処理についての説明を行う。車載監視装置１ｂでの監視関連処理は、一部の処理が異なる点を除けば固定監視装置１ａでの監視関連処理と同様であるので、以下では異なる点についての説明を行う。
【００９９】
まず、監視関連処理のうちの撮像関連処理においては、カメラ１２ｂのカメラ位置及び撮像方向は、車両Ｂ１・Ｂ２の走行により変化するので、カメラ１２ｂの車両Ｂ１・Ｂ２への取り付け位置、及び取り付け位置での光軸の向きに加え、車両Ｂ１・Ｂ２の位置検出器１６で検出される現在位置及び方位角を考慮して、監視制御装置１５ｂが逐次決定する。
【０１００】
カメラ１２ｂのカメラ位置は、位置検出器１６で検出される自車の現在位置と、カメラ１２ｂの自車への取り付け位置とから決定する構成とすればよい。カメラ１２ｂの取り付け位置の情報は、例えば自車のＧＰＳ受信機の搭載位置に対するカメラ１２ｂの相対位置とする。この場合、位置検出器１６で検出される自車の現在位置から、上記相対位置だけ離れた位置を、カメラ１２ｂのカメラ位置と決定する構成とすればよい。
【０１０１】
例えば自車のＧＰＳ受信機の搭載位置に対するカメラ１２ｂの相対位置が予め、自車の図示しない車両システム（例えばＥＣＵ等）の不揮発性メモリに保存されているものとする。そして、監視制御装置１５ｂは、この相対位置を、車載ＬＡＮ１９等を介して取得することで、カメラ１２ｂの取り付け位置の情報を自動で設定できるものとする。なお、自車のＧＰＳ受信機の搭載位置に対するカメラ１２ｂの相対位置を検出するセンサを利用できる場合には、このセンサによって検出した値を予め車両システムの不揮発性メモリに保存する構成としてもよい。
【０１０２】
これによれば、自車に初めて監視制御装置１５ｂを設置する際、若しくは自車を買い換えて監視制御装置１５ｂを載せ換える場合に、カメラ１２ｂの取り付け位置の情報を車両システムから設定できる。この結果、ユーザが監視制御装置１５ｂの取り付け位置の情報を設定する必要がなくなり、利便性が増す。
【０１０３】
また、カメラ１２ｂの撮像方向は、位置検出器１６で検出される自車の方位角と、カメラ１２ｂの自車への取り付け位置での光軸の向きとから決定する構成とすればよい。例えば、カメラ１２ｂの自車への取り付け位置での光軸の向きは、例えば自車の直進時の進行方向を基準とした方位角と、水平を基準とした仰俯角とする。この場合、位置検出器１６で検出した自車の方位角に、自車の直進時の進行方向を基準とした方位角の角度を加算した角度を、撮像方向のうちの方位角と決定すればよい。また、カメラ１２ｂの自車への取り付け位置での光軸の水平を基準とした仰俯角を、撮像方向のうちの仰俯角と決定すればよい。
【０１０４】
なお、自車のＧＰＳ受信機の搭載位置に対するカメラ１２ｂの相対位置及びカメラ１２ｂの光軸の向きは、例えばカメラ１２ｂの設置時等に予め計測した値を車両システムの不揮発性メモリに予め格納しておく構成とすればよい。
【０１０５】
監視関連処理のうちの不審者有無判定処理においては、監視エリアは、見守り対象とする住宅等（例えば住宅Ａ）の敷地内の建物の周囲にある庭や駐車場に設定し、見守り対象とする住宅等の敷地内の庭や駐車場に侵入した不審者を検出するようにすればよい。なお、カメラ１２ｂでの監視画像の撮像は、監視エリア外でも逐次行っているものとする。
【０１０６】
不審者有無判定処理で不審者が存在すると判定した場合に行う威嚇については、警報器１７から警報音を出力させたり、照明装置１８から光を照射させたりすることで行う。
【０１０７】
また、車載監視装置１ｂからの不審者情報要求メッセージの送信は、固定監視装置１ａに向けて行う構成としてもよいし、自車以外の他車の車載監視装置１ｂに向けて行う構成としてもよいし、両方に向けて行う構成としてもよい。
【０１０８】
監視関連処理のうちの要求メッセージ応答処理においては、第３記録抽出処理と応答メッセージ生成処理との間に、以下の処理を行う構成とすればよい。
【０１０９】
まず、第３記録抽出処理に続いて、車両台数推定処理を行う。車両台数推定処理では、車車間通信で単位時間あたりに受信するパケットの送信元の数を、車車間通信を行っている周辺車両の台数として推定する。よって、監視制御装置１５ｂが請求項の車両台数推定手段に相当する。パケットの送信元の数は、例えばパケットに含まれている送信元の機器ＩＤをもとに、同一の送信元のパケットについては重複してカウントしない構成とすればよい。
【０１１０】
車両台数推定処理に続いて、割り当て量推定処理を行う。割り当て量推定処理では、車両台数推定処理で推定した周辺車両の台数をもとに、不審者情報要求メッセージの送信元の監視装置１（本例では住宅Ａの固定監視装置１ａ）へ自車及び当該周辺車両が不審者情報応答メッセージを通信装置１１ｂから送信させると仮定した場合の、１台の車両あたりの通信容量（通信路容量）の割り当て量を推定する。よって、監視制御装置１５ｂが請求項の割り当て量推定手段に相当する。
【０１１１】
一例としては、以下の式１で算出される値を、通信容量の割り当て量と推定する構成とすればよい。なお、式１における通信可能期間とは、車載監視装置１ｂが不審者情報要求メッセージの送信元の固定監視装置１ａと通信可能な想定時間である。また、式１における１レコードあたりの容量とは、例えば監視画像１枚の容量であって、仮想的に定めた固定値を用いる構成とすればよい。
【数１】
0006047910.tif 000002
【０１１２】
割り当て量推定処理に続く、応答メッセージ生成処理では、割り当て量推定処理で推定した割り当て量を超えないように、第３記録抽出処理で抽出した監視画像をランダムに抽出することで、監視画像をさらに絞り込む。なお、第３記録抽出処理で抽出した監視画像が割り当て量以下しか存在しなかった場合には、絞り込みは実行しなくてもよい。そして、割り当て量推定処理で推定した割り当て量を超えないように絞り込んだ監視画像から不審者情報応答メッセージを生成する。
【０１１３】
また、監視画像の抽出はランダムに行う構成に限らず、例えば撮像日時が一定期間以上離れたものを抽出するなど、一定の決まりに従って抽出する構成としてもよい。他にも、第３記録抽出処理で抽出した監視画像のうち、不審者の顔画像が含まれる監視画像を監視制御装置１５ｂで判別し、不審者の顔画像を含む監視画像を優先して抽出する構成としてもよい。詳しくは、以下の通りである。
【０１１４】
まず、第３記録抽出処理で抽出した監視画像に対して、公知の画像認識技術（例えばパターンマッチング）等によって不審者の顔部分の画像の抽出を試行し、顔画像が抽出できた監視画像を監視制御装置１５ｂで判別する。よって、監視制御装置１５ｂが請求項の判別手段に相当する。
【０１１５】
続いて、第３記録抽出処理で抽出した監視画像から、不審者の顔画像が抽出できた監視画像を優先して抽出し、割り当て量推定処理で推定した割り当て量を超えないように、残りの監視画像を例えばランダムに抽出して、監視画像を絞り込む。そして、割り当て量推定処理で推定した割り当て量を超えないように絞り込んだ監視画像から不審者情報応答メッセージを生成する。
【０１１６】
なお、監視ＤＢ１４ａに保存された監視画像について、予め公知の画像認識技術（例えばパターンマッチング）等によって不審者の顔部分の画像の抽出が行われており、顔画像を含む監視画像を示すタグが付与されている場合には、このタグに基づいて、顔画像が抽出できた監視画像を監視制御装置１５ｂで判別する構成としてもよい。
【０１１７】
以上の構成によれば、通信路容量が限られた無線通信において、周辺に存在する車両台数に応じて不審者情報応答メッセージの通信量を限定することで輻輳を防止することが可能になる。また、不審者情報応答メッセージの通信量の限定に際し、不審者の顔画像を含む監視画像を優先して抽出し、送信する監視画像の絞り込みを行うことにより、限られた通信量で効率よく証拠能力の高い情報を送信することが可能になる。よって、受信側でも限られた通信量で効率よく証拠能力の高い情報を収集することが可能になる。
【０１１８】
なお、固定監視装置１ａから不審者情報要求メッセージを受信した車載監視装置１ｂにおいて、この不審者情報要求メッセージをもとに、不審者の情報を車両の乗員に通知する構成としてもよい。一例としては、不審者情報要求メッセージに含まれる不審者特徴を示すテキストや画像を監視制御装置１５ｂが図示しないディスプレイに表示させたり、不審者特徴を説明する音声案内を監視制御装置１５ｂがスピーカから出力させたりする構成とすればよい。他にも、不審者情報要求メッセージに含まれる不審者位置を、図示しないナビゲーション装置の地図上に監視制御装置１５ｂが表示させたりする構成としてもよい。
【０１１９】
これによれば、不審者が検出された建物の敷地の周辺車両の乗員（例えばドライバ）に迅速に不審者の情報を通知することが可能になるため、ドライバが不審者と気づかずに遭遇するリスクを軽減できる。例えば、運転中に不審者を認識できれば、事故の回避に備えた防衛運転によって、不審者による意図的な交通事故を避ける行動をとることが可能になる。
【０１２０】
図６に戻って、車両Ｂ１・Ｂ２の車載監視装置１ｂから返信された不審者情報応答メッセージを通信装置１１ａで受信した住宅Ａの固定監視装置１ａは、車両Ｂ１・Ｂ２の車載監視装置１ｂから受信した不審者情報応答メッセージを、監視制御装置１５ａの指示に従って通信装置１１ａから監視センタ２に送信（転送）させる。
【０１２１】
この際、住宅Ａの固定監視装置１ａは、自装置で検出した不審者についての不審者検出メッセージを監視制御装置１５ａで生成して、この不審者検出メッセージも、監視制御装置１５ａの指示に従って通信装置１１ａから監視センタ２に送信させる（ｔ７）。よって、監視制御装置１５ａが請求項の監視装置側送信手段に相当する。
【０１２２】
不審者検出メッセージは、監視ＤＢ１４ａに保存した情報をもとに生成する構成とすればよい。例えば不審者検出メッセージは、図１６に示すように、送信元となる自装置を特定するための「識別情報（例えば機器ＩＤ）」、メッセージの種別を示す「メッセージＩＤ」、位置推定処理で推定した「不審者位置」、不審者の検出日時を示す「検出日時」、不審者が含まれる監視画像の撮像時のカメラ位置を示す「カメラ位置」、当該監視画像の撮像時の撮像方向を示す「撮像方向」、不審者が含まれる「不審者画像」の情報からなる。「機器ＩＤ」、「メッセージＩＤ」、「不審者位置」、「検出日時」、「不審者画像」については、前述したのと同様のものである。
【０１２３】
図６に戻って、監視センタ２は、住宅Ａの固定監視装置１ａから送信された不審者情報応答メッセージ及び不審者検出メッセージをセンタ側通信部２１で受信する。よって、センタ側通信部２１が請求項のセンタ側受信手段に相当する。そして、監視センタ２は、住宅Ａの固定監視装置１ａから受信した不審者情報応答メッセージ及び不審者検出メッセージをもとに、不審者検出通知を生成する不審者検出通知生成処理を行う（ｔ８）。
【０１２４】
例えば不審者検出通知は、図１７に示すように、不審者の検出日時を示す「検出日時」、不審者の位置を示す「不審者位置」、不審者が含まれる監視画像の撮像時のカメラ位置を示す「カメラ位置」、当該監視画像の撮像時の撮像方向を示す「撮像方向」、不審者が含まれる「不審者画像」の情報からなるものとする。
【０１２５】
一例として、不審者情報応答メッセージから不審者検出通知を生成する場合は、不審者情報応答メッセージに含まれる「撮像日時」、「不審者位置」、「カメラ位置」、「撮像方向」、「不審者画像」を、不審者検出通知の「検出日時」、「不審者位置」、「カメラ位置」、「撮像方向」、「不審者画像」として用いる。また、不審者検出メッセージから不審者検出通知を生成する場合は、不審者検出メッセージに含まれる「検出日時」、「不審者位置」、「カメラ位置」、「撮像方向」、「不審者画像」を、不審者検出通知の「検出日時」、「不審者位置」、「カメラ位置」、「撮像方向」、「不審者画像」として用いる。
【０１２６】
そして、不審者検出通知生成処理で生成した不審者検出通知を、センタ側制御部２３がセンタ側通信部２１から警備に関する公務若しくはサービスを行う組織のサーバ装置に送信（通報）させる（ｔ９）。よって、センタ側制御部２３が請求項の通報手段に相当する。これによれば、警察や警備会社等の警備に関する公務若しくはサービスを行う組織に、不審者の存在を迅速に知らせることが可能になり、不審者の検挙を促すことが可能になる。とともにユーザにもリスクの存在を通知し、偶然不審者と遭遇する危険性を抑制し、犯罪被害の拡大を抑止する。
【０１２７】
また、監視センタ２は、生成した不審者検出通知を、住宅Ａの住人のユーザ端末３に送信(通知)させる（ｔ１０）。よって、センタ側制御部２３が請求項のユーザ通知手段に相当する。なお、不審者検出通知のユーザへの通知は、不審者検出通知の内容を、電子メールやメッセンジャーやツイッター等の電子メッセージによって行う構成としてもよいし、電話によって行う構成としてもよい。
【０１２８】
これによれば、ユーザに、不審者の存在を迅速に知らせることが可能になり、偶然不審者と遭遇する危険性を抑制し、犯罪被害の拡大を抑止することが可能になる。
【０１２９】
監視センタ２から送信された不審者検出通知を端末側通信部３１で受信した住宅Ａの住人のユーザ端末３は、受信した不審者検出通知をもとに、不審者検出通知処理を行う（ｔ１１）。よって、端末側通信部３１が請求項の検出通知受信手段に相当する。ここで、図１８のフローチャートを用いて、不審者検出通知処理の概略について説明を行う。
【０１３０】
まず、ステップＳ５１では、端末側制御部３５が着信通知処理を行って、ステップＳ５２に移る。着信通知処理では、図示しないスピーカから着信音を出力させたり、バイブレーション機能によってユーザ端末３を振動させたりすることで、不審者検出通知の着信があったことをユーザに知らせる。
【０１３１】
ステップＳ５２では、端末側制御部３５が、ユーザからの表示アクションありか否かを判定する。例えば、複数の不審者検出通知のリストが表示部３３に表示される構成の場合には、このリストから特定の不審者検出通知を選択するユーザ操作を操作入力部３４で受け付けた場合に、ユーザからの表示アクションありと判定する構成とすればよい。
【０１３２】
他にも、各不審者検出通知に含まれるカメラ位置若しくは不審者位置を示す地図上の点が表示部３３に表示される構成の場合には、この地図上の点から特定の点を選択するユーザ操作を操作入力部３４で受け付けた場合に、ユーザからの表示アクションありと判定する構成としてもよい。
【０１３３】
そして、表示アクションありと判定した場合（ステップＳ５２でＹＥＳ）には、ステップＳ５３に移る。一方、表示アクションなしと判定した場合（ステップＳ５３でＮＯ）には、ステップＳ５２のフローを繰り返す。
【０１３４】
ステップＳ５３では、端末側制御部３５が不審者検出情報表示処理を行って、フローを終了する。不審者検出情報表示処理では、不審者検出通知の「検出日時」、「不審者位置」、「カメラ位置」、「撮像方向」、「不審者画像」をもとに、不審者の画像、当該不審者を含む監視画像を撮像したカメラ位置及び撮像方向、当該不審者の位置、当該不審者の検出日時を示す不審者検出画面を表示部３３に表示させる。よって、表示部３３が請求項の表示手段に相当する。
【０１３５】
一例としては、図１９に示すように、住宅Ａ（図１９のＡ参照）及び監視エリア（図１９の斜線部分参照）の位置を示す画像を表示させるとともに、カメラ位置及び撮像方向を示すアイコン（図１９のＤ参照）や不審者位置を示すアイコン（図１９のＥ参照）を表示させる。また、「１２月３０日００時１５分に不審者の侵入を検出しました」といった、不審者の検出日時を示すテキストも表示させる。さらに、不審者位置を示すアイコンを選択した場合には、図２０に示すように不審者の画像（図２０のＦ参照）を表示させる。
【０１３６】
これによれば、ユーザに異常状態を通知することで、ユーザが異常事態に気付かず不審者と遭遇するリスクを低減することが可能になる。また、不審者の含まれる監視画像を撮像したカメラ位置と撮像方向とを示すアイコンを表示するので、ユーザは、不審者画像閲覧時の方向感覚を素早く理解することが可能になる。これにより、偶然監視エリア近くに自らが位置していた場合、防犯行動若しくは避難行動を迅速にとることが可能になる。
【０１３７】
なお、住宅Ａ（図１９のＡ参照）及び監視エリア（図１９の斜線部分参照）の位置は、予め端末側制御部３５の不揮発性メモリに格納しておいた住宅Ａ及び監視エリアの位置情報を用いる構成とすればよい。他にも、不審者情報応答メッセージや不審者検出メッセージに、住宅Ａや監視エリアの位置情報を含ませる構成とするとともに、不審者検出通知にも住宅Ａや監視エリアの位置情報を含ませる構成とすることで、不審者検出通知に含まれる住宅Ａや監視エリアの位置情報を用いる構成としてもよい。
【０１３８】
また、監視センタ２は、受信した不審者情報応答メッセージ及び不審者検出メッセージをもとに、不審者検出通知に加え、不審者移動経路通知も生成し、住宅Ａの住人のユーザ端末３に送信する構成としてもよい。
【０１３９】
例えば不審者移動経路通知は、図２１に示すように、不審者の検出日時を示す「検出日時」、不審者の位置を示す「不審者位置」の情報からなるものとする。より具体的には、各不審者情報応答メッセージ及び不審者検出メッセージに含まれる「検出日時」と「不審者位置」との情報からなる。
【０１４０】
監視センタ２から送信された不審者検出通知及び不審者移動経路通知を端末側通信部３１で受信した住宅Ａの住人のユーザ端末３は、不審者移動経路通知処理を行う。不審者移動経路通知処理は、不審者の移動経路を表示させる点を除けば前述の不審者検出通知処理（ステップＳ５１〜ステップＳ５３）と同様の処理である。以下では、前述の不審者検出通知処理とは異なる点についてのみ説明を行う。
【０１４１】
不審者移動経路通知処理では、不審者の画像、当該不審者を含む監視画像を撮像したカメラ位置及び撮像方向、当該不審者の位置、当該不審者の検出日時に加え、当該不審者の移動経路も示す不審者移動経路画面を表示部３３に表示させる。移動経路については、不審者移動経路通知に含まれる複数の「検出日時」と「不審者位置」との組みをもとに、「不審者位置」を「検出日時」順に結ぶことで作成する構成とすればよい。
【０１４２】
一例としては、図２２に示すように、住宅Ａ（図２２のＡ参照）及び監視エリア（図２２の斜線部分参照）の位置を示す画像を表示させるとともに、カメラ位置及び撮像方向を示すアイコン（図２２のＤ参照）や不審者位置を示すアイコン（図２２のＥ参照）を表示させる。また、「１２月３０日００時１５分に不審者の侵入を検出しました」といった、不審者の検出日時を示すテキストも表示させる。さらに、移動経路（図２２のＧ参照）も表示させる。
【０１４３】
これによれば、不審者がどこから侵入してきたのかを把握することが可能になる。また、不審者の侵入経路を把握することで、より防犯レベルの高いシステムを導入することが可能になる。
【０１４４】
なお、不審者移動経路通知についても、警備に関する公務若しくはサービスを行う組織のサーバ装置に送信（通報）させる構成とすることが好ましい。これによれば、警察や警備会社等の警備に関する公務若しくはサービスを行う組織において、不審者の監視エリア侵入前の足取りや逃走後の足取りを掴めるため、不審者の検挙に有益な情報を自動的に集める事ができ、結果として地域の防犯レベルを高めることができる。
【０１４５】
また、不審者情報応答メッセージ及び不審者検出メッセージに「カメラ位置」並びに「撮像方向」を含まない構成とした場合には、不審者検出通知にも「カメラ位置」及び「撮像方向」を含ませず、不審者を含む監視画像を撮像したカメラ位置及び撮像方向を示す画像をユーザ端末３で表示させない構成としてもよい。
【０１４６】
実施形態１の構成によれば、不審者画像を含む不審者情報応答メッセージを生成するにあたり、収集期間、収集エリア、不審者特徴による絞り込みを行うことで不審者情報応答メッセージのデータ量を削減できる。これにより、無線通信路における輻輳を防止することが可能になるとともに、他の無線通信への影響を低減し、通信帯域を有効利用できるようにすることが可能になる。
【０１４７】
また、周辺車両の台数に応じて不審者応答メッセージのデータ容量を削減するので、例えば銀座などの車両が多数存在する地域においても無線通信における輻輳を抑制するとともに、他の無線通信への影響を抑え、通信帯域を有効利用できるようにすることが可能になる。結果として、ＣＳＭＡ／ＣＡなどの無線アクセス方式に対しては、通信の信頼性を向上することもできる。
【０１４８】
さらに、実施形態１の構成によれば、固定監視装置１ａと車載監視装置１ｂとが定期的に監視画像を撮像しており、不審者情報要求メッセージに含ませる「収集期間」に過去の日時を指定することで、不審者が監視エリアに侵入する前の監視画像も収集することが可能になる。これにより、例えば不審者がどこかに車両を駐車し、監視エリアに侵入した場合に、不審者と一緒に不審者の車両情報も収集できるため、不審者の検挙がより行い易くなる。従って、地域の防犯効果をさらに高めることが可能になる。
【０１４９】
なお、本実施形態では、固定監視装置１ａで不審者を検出した場合に、車載監視装置１ｂに不審者情報要求メッセージを送信し、車載監視装置１ｂから不審者情報応答メッセージを受信（収集）して、収集した不審者情報応答メッセージと不審者検出メッセージを監視センタ２へ送信する構成を示したが、必ずしもこれに限らない。
【０１５０】
例えば、固定監視装置１ａで不審者を検出した場合に、自装置以外の（つまり、他の）固定監視装置１ａに不審者情報要求メッセージを送信し、他の固定監視装置１ａから不審者情報応答メッセージを受信（収集）して、収集した不審者情報応答メッセージと不審者検出メッセージを監視センタ２へ送信する構成としてもよい。
【０１５１】
他にも、車載監視装置１ｂで不審者を検出した場合に、自装置以外の（つまり、他の）車載監視装置１ｂや固定監視装置１ａに不審者情報要求メッセージを送信し、他の車載監視装置１ａや固定監視装置１ａから不審者情報応答メッセージを受信（収集）して、収集した不審者情報応答メッセージと不審者検出メッセージを監視センタ２へ送信する構成としてもよい。よって、監視制御装置１５ｂも、請求項の特徴抽出手段、要求生成手段、要求送信手段、監視装置側送信手段に相当する。
【０１５２】
また、監視装置１（固定監視装置１ａ・車載監視装置１ｂ）から不審者情報要求メッセージを監視センタ２へ送信する構成としてもよい。そして、監視センタ２から、不審者情報要求メッセージの送信元の監視装置１の周辺の監視装置１に当該不審者情報要求メッセージを送信し、監視センタ２で不審者情報応答メッセージを収集し、前述の通報や通知を行う構成としてもよい。
【０１５３】
他にも、監視センタ２から、不審者情報要求メッセージの送信元の監視装置１の周辺のユーザ端末３（つまり、不審者が検出された周辺地域のユーザ端末３）に、不審者位置や不審者画像を含む情報を送信し、不審者が検出された周辺地域に注意喚起を行う構成としてもよい。一例としては、不審者の存在や不審者位置や不審者画像を示す表示を行うことで注意喚起を行う構成とすればよい。
【０１５４】
また、固定監視装置１ａにおいては、人物が含まれる監視画像が得られた場合に不審者が存在すると判定する構成とした場合には、監視エリアに人が存在する場合、監視エリアに人が存在しない場合について機械学習を行う構成としてもよい。なお、上記機械学習の開始と終了とは、ユーザ端末３等を利用したユーザの指示に従って行う構成とすればよい。
【０１５５】
一例としては、監視エリアに人が存在する場合の実際のカメラ１２ａの画像を正解画像、監視エリアに人が存在しない場合の実際のカメラ１２ａの画像を不正解画像として機械学習を行う構成とすればよい。これによれば、カメラ１２ａ設置場所に応じて、監視画像からの不審者検出の精度を高めることができる。
【０１５６】
さらに、固定監視装置１ａにおいて、カメラ１２ａのカメラ位置及び光軸の向きが固定の場合には、不審者有無判定処理に用いる監視画像の領域のピクセルを指定可能にする構成としてもよい。なお、カメラ１２ａのカメラ位置及び光軸の向きが可変の場合にも、あるカメラ位置及び撮像方向について、不審者有無判定処理に用いる監視画像の領域のピクセルが指定された後には、同一の対象領域を常に指定するように、カメラ位置及び撮像方向の変化に応じてピクセルを自動で変更する構成としてもよい。
【０１５７】
これによれば、監視を行う対象とするエリアを倉庫や駐車場の出入口などの特定の領域に限定することが可能になるので、不審者有無判定処理（つまり、不審者の検出）に必要な計算量を削減し、固定監視装置１ａの消費電力を低減できる。また、画像認識処理を行う領域を限定するので、画像認識処理の負荷を低減することができ、不審者有無判定処理の応答速度を向上させることができる。
【０１５８】
（実施形態２）
本発明は前述の実施形態に限定されるものではなく、次の実施形態２も本発明の技術的範囲に含まれる。以下では、この実施形態２について説明を行う。なお、説明の便宜上、前述の実施形態の説明に用いた図に示した部材と同一の機能を有する部材については、同一の符号を付し、その説明を省略する。
【０１５９】
図２３に示すように、監視エリア見守りシステム２００は、車載監視装置１ｂ、監視センタ２、及びユーザ端末３を含んでいる。監視エリア見守りシステム２００は、固定監視装置１ａを含まないことを除けば、実施形態１の監視エリア見守りシステム１００と同様の構成である。
【０１６０】
本実施形態では、図２３に示すように、監視エリア見守りシステム２００は、車両Ｂ１の車載監視装置１ｂ、車両Ｂ２の車載監視装置１ｂ、監視センタ２、及びユーザ端末３を含む場合を例に挙げて説明を行う。
【０１６１】
車載監視装置１ｂの通信装置１１ｂと監視センタ２との通信は、ＤＣＭ等のテレマティクス通信に用いる通信モジュールやＢｌｕｅｔｏｏｔｈ（登録商標）通信によって接続される携帯電話機等を利用し、基地局（図２３のＨ参照）を介して行う構成とすればよい。
【０１６２】
車載監視装置１ｂでは、前述したように、監視エリアは、見守り対象とする住宅等（本例では住宅Ａ）の敷地内の建物の周囲にある庭や駐車場に設定し、見守り対象とする住宅等の敷地内の庭や駐車場に侵入した不審者を検出するようにすればよい（図２４参照）。なお、カメラ１２ｂでの監視画像の撮像は、監視エリア外でも逐次行っているものとする。
【０１６３】
続いて、図２５のシーケンス図を用いて、監視エリア見守りシステム２００における処理の流れの一例についての説明を行う。ここでは、車両Ｂ１の車載監視装置１ｂで不審者の検出が行われる場合を例に挙げて説明を行う。なお、ユーザ端末３は、住宅Ａの住人に用いられるものとして説明を行う。
【０１６４】
まず、ユーザ端末３が、端末側見守り設定処理を行う（ｔ１０１）。ここで、図２６のフローチャートを用いて、端末側見守り設定処理の概略についての説明を行う。図２６のフローは、ユーザ端末３の電源がオンになるなどしてユーザ端末３が起動したときに開始される。
【０１６５】
ステップＳ１０１では、端末側制御部３５が、ユーザからの設定アクションありか否かを判定する。例えば、住宅Ａについての監視エリア及び監視期間を設定するユーザ操作を操作入力部３４で受け付けた場合に、ユーザからの設定アクションありと判定する構成とすればよい。監視期間は、監視開始日時と監視終了日時とからなるものとする。よって、この端末側制御部３５が請求項のユーザ設定手段に相当する。
【０１６６】
そして、設定アクションありと判定した場合（ステップＳ１０１でＹＥＳ）には、ステップＳ１０２に移る。一方、設定アクションなしと判定した場合（ステップＳ１０１でＮＯ）には、ステップＳ１０１のフローを繰り返す。
【０１６７】
ステップＳ１０２では、端末側制御部３５が見守り設定メッセージ生成処理を行って、ステップＳ１０３に移る。見守り設定メッセージ生成処理では、設定された監視エリア及び監視期間をもとに、見守り設定メッセージを生成する。よって、このステップＳ１０２の処理が請求項の設定メッセージ生成手段に相当する。
【０１６８】
例えば見守り設定メッセージは、図２７に示すように、監視期間の開始日時を示す「監視開始日時」、監視期間の終了日時を示す「監視終了日時」、監視エリアを示す「監視エリア」の情報からなる。
【０１６９】
監視エリアは、例えば複数の座標（本例では緯度・経度・高度）を結んだ閉路で表されるものであって、見守り設定メッセージに含まれる「監視エリア」の情報は、この複数の座標であるものとする。「監視開始日時」、「監視終了日時」、「監視エリア」については、ユーザ操作によって設定された監視エリア及び監視期間を用いる構成とすればよい。
【０１７０】
ステップＳ１０３では、端末側制御部３５が見守り設定メッセージ送信処理を行って、ステップＳ１０１に戻る。見守り設定メッセージ送信処理では、見守り設定メッセージ生成処理で生成した見守り設定メッセージを、端末側制御部３５が端末側通信部３１から監視センタ２に送信させる。よって、端末側制御部３５が請求項の設定送信手段に相当する。
【０１７１】
図２５に戻って、住宅Ａの住人のユーザ端末３で監視エリア及び監視期間の設定が行われると、見守り設定メッセージがユーザ端末３から基地局を介して監視センタ２に送信される（ｔ１０２）。
【０１７２】
ユーザ端末３から返信された見守り設定メッセージは、監視センタ２のセンタ側通信部２１が受信する。よって、センタ側通信部２１が請求項の設定受信手段に相当する。見守り設定メッセージを受信した監視センタ２は、受信した見守り設定メッセージを、センタ側制御部２３の指示に従ってセンタ側通信部２１から車両Ｂ１の車載監視装置１ｂに送信（転送）させる（ｔ１０３）。よって、センタ側制御部２３が請求項のセンタ側転送手段に相当する。
【０１７３】
なお、住宅Ａの住人のユーザ端末３と車両Ｂ１の車載監視装置１ｂとの紐付けは、例えば住宅Ａの見守りを行う車両の設定時などに、予めお互いの機器ＩＤを監視センタ２のセンタ側制御部２３の不揮発性メモリに紐付けて登録しておくことで可能にする構成とすればよい。
【０１７４】
監視センタ２から送信された見守り設定メッセージは、車両Ｂ１の車載監視装置１ｂの通信装置１１ｂが受信する。見守り設定メッセージを受信した車載監視装置１ｂの監視制御部１５ｂは、自動設定処理を行う（ｔ１０４）。自動設定処理では、受信した見守り設定メッセージで指定された監視エリアを自装置の監視エリアに自動で設定するとともに、設定メッセージで指定された監視期間を自装置の監視期間に自動で設定する。よって、監視制御部１５ｂが請求項の自動設定手段に相当する。
【０１７５】
なお、車両Ｂ１の車載監視装置１ｂは、車両Ｂ１のアクセサリ（ＡＣＣ）電源オンやエンジン駆動、ＥＶやＰＨＶなどの走行用バッテリの給電等をトリガにして自動的に起動しているものとする。
【０１７６】
見守り設定メッセージで指定された監視エリア及び監視期間を設定した車載監視装置１ｂでは、この設定に従って前述の監視関連処理を行う（ｔ１０５）。具体例としては、監視ＤＢ１４ｂに保存されている監視画像のうち、以下の２点の条件を満たす監視画像を抽出して、前述の不審者検出関連処理を行う。１点目は、設定された監視期間に撮像日時が含まれることである。２点目は、カメラ位置が監視エリアから所定の距離以下である。ここで言うところの所定の距離とは、例えばカメラ１２ｂの最大撮影距離とすればよい。
【０１７７】
車両Ｂ１の車載監視装置１ｂで不審者が検出されると、前述の不審者情報応答メッセージと同様の不審者情報応答メッセージを生成し、監視制御部１５ｂが通信装置１１ｂから監視センタ２に送信させる（ｔ１０６）。実施形態２においては、監視ＤＢ１４ｂの保存した監視画像から、不審者有無判定処理で検出した不審者が少なくとも含まれる領域の画像を抽出して「不審者画像」の情報とすればよい。
【０１７８】
また、監視センタ２は、車両Ｂ１の車載監視装置１ｂから送信された不審者情報応答メッセージをセンタ側通信部２１で受信し、受信した不審者情報応答メッセージをもとに、センタ側制御部２３で前述の不審者検出通知生成処理を行う（ｔ１０７）。
【０１７９】
そして、不審者検出通知生成処理で生成した不審者検出通知を、センタ側制御部２３がセンタ側通信部２１から警備に関する公務若しくはサービスを行う組織のサーバ装置に送信（通報）させる（ｔ１０８）。また、監視センタ２は、生成した不審者検出通知を、住宅Ａの住人のユーザ端末３に送信(通知)させる（ｔ１０９）。
【０１８０】
監視センタ２から送信された不審者検出通知を端末側通信部３１で受信した住宅Ａの住人のユーザ端末３は、受信した不審者検出通知をもとに、前述の不審者検出通知処理を行う（ｔ１１０）。
【０１８１】
本実施形態では、１台の車両の監視エリア及び監視期限を設定する構成を示したが、必ずしもこれに限らず、複数台の車両の車載監視装置１ｂに見守り設定メッセージを送信することにより、複数台の車両の監視エリア及び監視期限を設定する構成としてもよい。
【０１８２】
実施形態２の構成でも、不審者画像を含む不審者情報応答メッセージを生成するにあたり、収集期間、収集エリア、不審者特徴による絞り込みを行うので、実施形態１と同様の効果を奏する。
【０１８３】
さらに、実施形態２の構成によれば、ユーザが、ユーザ端末３に操作入力を行うことによって、監視センタ２を介して、車載監視装置１ｂの監視エリア及び監視期限を自由且つリアルタイムに変更することが可能になる。よって、複数の車載監視装置１ｂごとに監視エリア及び監視期限を自由且つリアルタイムに設定することが可能になり、地域全体での監視見守りサービスを効率化できる。
【０１８４】
また、固定監視装置１ａについても、前述したのと同様にしてユーザ端末３から監視センタ２を介して、監視エリア及び監視期間を変更可能とする構成としてもよい。
【０１８５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８６】
１  監視装置、１ａ  固定監視装置、１ｂ  車載監視装置、１１ａ・１１ｂ  通信装置（通信部）、１２ａ・１２ｂ  監視カメラ（カメラ）、１４ａ・１４ｂ  監視ＤＢ（記憶部）、１５ａ・１５ｂ  監視制御装置（監視制御部）、Ｓ１  画像保存手段、Ｓ２１  不審者判定手段、Ｓ２５  特徴抽出手段、Ｓ２７  要求生成手段、Ｓ２８  要求送信手段、Ｓ４３  特徴判定手段、Ｓ４６  応答生成手段
【図１】
0006047910.tif 000003
【図２】
0006047910.tif 000004
【図３】
0006047910.tif 000005
【図４】
0006047910.tif 000006
【図５】
0006047910.tif 000007
【図６】
0006047910.tif 000008
【図７】
0006047910.tif 000009
【図８】
0006047910.tif 000010
【図９】
0006047910.tif 000011
【図１０】
0006047910.tif 000012
【図１１】
0006047910.tif 000013
【図１２】
0006047910.tif 000014
【図１３】
0006047910.tif 000015
【図１４】
0006047910.tif 000016
【図１５】
0006047910.tif 000017
【図１６】
0006047910.tif 000018
【図１７】
0006047910.tif 000019
【図１８】
0006047910.tif 000020
【図１９】
0006047910.tif 000021
【図２０】
0006047910.tif 000022
【図２１】
0006047910.tif 000023
【図２２】
0006047910.tif 000024
【図２３】
0006047910.tif 000025
【図２４】
0006047910.tif 000026
【図２５】
0006047910.tif 000027
【図２６】
0006047910.tif 000028
【図２７】
0006047910.tif 000029